(57)【要約】髪留めは、伸縮自在な本体及び中央孔を備える。髪留めがレスト位置から、伸長位置まで動く時、中央孔の直径が広がる。髪留めがレスト位置にある時、本体の外縁と中央孔の外縁との間の距離は、中央孔の直径よりも大きい。髪留めが伸長すると、中央孔の外縁と本体の外縁との間の距離は、減少し、内径が広がる。一部の実施形態において、本体は中空であり、ゲル物質、粒状固体、及び強粘液の１つ以上で満たされる。一部の実施形態において、髪留めは、押し出し成形工程及び射出成形工程の１つ以上によって製造される。【選択図】図１
2013524941.tif 000002
【特許請求の範囲】
【請求項１】
伸縮自在な本体を有する髪留めであって、
ａ、内縁と、
ｂ、外縁と、
ｃ、中央孔と、を備え、
レスト位置における前記内縁と前記外縁との間の距離は、中央孔の直径よりも大きく、前記髪留めが伸長位置にある時、前記内縁と前記外縁との間の距離が縮まる髪留め。
【請求項２】
前記伸縮自在な本体は、中実である請求項１に記載の髪留め。
【請求項３】
前記伸縮自在な本体は、中空であり、ゲル物質、粒状固体、及び強粘液の１つ以上で満たされる請求項１に記載の髪留め。
【請求項４】
前記本体は、布表面を備える請求項１に記載の髪留め。
【請求項５】
前記本体は、装飾模様、図形、装飾アクセサリの１つ以上を備える請求項１に記載の髪留め。
【請求項６】
前記レスト位置における前記本体の幅は、約１／４インチであり、前記中央孔の直径は、約１／８インチである請求項１に記載の髪留め。
【請求項７】
前記本体は、アロエ、鉱油、及びコンディショナ物質の１つ以上を充填される請求項１に記載の髪留め。
【請求項８】
前記本体は、球体、立方体、及び管状形状の１つ以上を備える請求項１に記載の髪留め。
【請求項９】
前記本体は、芳香剤を充填される請求項１に記載の髪留め。
【請求項１０】
前記本体は、苦味剤を充填される請求項１に記載の髪留め。
【請求項１１】
前記髪留めは、押し出し成形工程及び射出成形工程の１つ以上によって製造される請求項１に記載の髪留め。
【請求項１２】
前記本体は、ハート、昆虫、動物、花、及び他の装飾形状の１つ以上を備える請求項１に記載の髪留め。
【請求項１３】
前記本体は、複数の図柄を備える請求項１に記載の髪留め。
【請求項１４】
ａ、伸縮自在な本体と、
ｂ、中央孔とを備え、
前記髪留めがレスト位置にある時、前記本体の外縁と、前記中央孔との間の距離は、第１中央孔の直径よりも大きく、前記髪留めが伸長位置にある時、前記本体と前記中央孔との間の距離は、第２中央孔の直径よりも小さい髪留め。
【請求項１５】
前記伸縮自在な本体は、中実である請求項１４に記載の髪留め。
【請求項１６】
前記伸縮自在な本体は、中空であり、ゲル物質、粒状固体、及び強粘液の１つ以上で満たされる請求項１４に記載の髪留め。
【請求項１７】
前記本体は、布表面を備える請求項１４に記載の髪留め。
【請求項１８】
前記本体は、装飾模様、図形、及び装飾アクセサリの１つ以上を備える請求項１４に記載の髪留め。
【請求項１９】
前記レスト位置における前記髪留めの幅は、約１／４インチであり、前記中央孔の直径は、約１／８インチである請求項１４に記載の髪留め。
【請求項２０】
前記本体は、アロエ、鉱油、及びコンディショナ物質の１つ以上を充填される請求項１４に記載の髪留め。
【請求項２１】
前記本体は、球体、立方体、及び管状形状の１つ以上を備える請求項１４に記載の髪留め。
【請求項２２】
前記本体は、芳香剤を充填される請求項１４に記載の髪留め。
【請求項２３】
前記本体は、苦味剤を充填される請求項１４に記載の髪留め。
【請求項２４】
前記髪留めは、押し出し成形工程及び射出成形工程の１つ以上によって製造される請求項１４に記載の髪留め。
【請求項２５】
前記本体は、ハート、昆虫、動物、花、及び他の装飾形状の１つ以上を備える請求項１４に記載の髪留め。
【請求項２６】
前記本体は、複数の図柄を備える請求項１４に記載の髪留め。
【請求項２７】
本体及び中央孔を有する髪留めを利用する方法であって、
ａ、前記髪留めを、第１中央孔の直径、及び外縁と前記中央孔との間の第１距離を有する第１レスト位置から、第２中央孔の直径、及び前記外縁と前記中央孔との間の第２距離を有する伸長位置まで動かすことと、
ｂ、前記中央孔内に髪の一部を配置することと、
ｃ、前記髪の一部を確実に保持するため、前記伸長位置から第２レスト位置まで、前記髪留めを解放することとを含み、
前記髪留めが前記第２レスト位置にある時、前記中央孔の直径は、前記第１中央孔の直径よりも大きく、外縁と前記中央孔との間の距離は、外縁と前記中央孔との間の前記第１距離よりも大きい方法。
【発明の詳細な説明】
【技術分野】
【０００１】
関連出願
本特許出願は、米国特許法第１１９条（ｅ）に基づき、２０１０年４月１９日に出願した「拡張型髪留め」なる名称の同時係属中の米国特許仮出願第６１/３２５，６７６号に対する優先権を主張する。また、２０１０年４月１９日に出願した「拡張型髪留め」なる名称の特許仮出願第６１/３２５，６７６号は、参照により本明細書に組み込まれる。
【０００２】
本請求の発明は、ヘアアクセサリ及びヘアアクセサリ部品に関する。より詳細には、本請求の発明は、髪の一部を確実に保持し、装飾を目的とする伸縮自在な髪留めに関する。
【背景技術】
【０００３】
女性のヘアアクセサリは、当業界において周知であり、様々なファッションに利用可能である。所望のヘアアレンジの創作において、女性の役に立つよう、多くの部品が開発されている。
【発明の概要】
【発明が解決しようとする課題】
【０００４】
場合により、髪を特定のアレンジに配置するため、または肩につかないように、または、顔から離し、髪を確実に保持するためにヘアアクセサリを使用することが望ましいことがある。従って、髪を確実に保持し、装飾を目的として豊富な種類のヘアアクセサリが利用可能である。
【課題を解決するための手段】
【０００５】
一実施形態において、髪留めは、伸縮自在な本体と中央孔を備える。髪留めが、レスト位置から伸長位置まで動く時、中央孔の直径が広がる。髪留めがレスト位置にある時、本体の外縁と中央孔の外縁との間の距離は、中央穴の直径よりも大きくなる。髪留めが伸長すると、中央孔の外縁と本体の外縁との間の距離が縮まり、内径は増大する。一部の実施形態において、本体は、中空であり、ゲル物質、粒状固体、及び強粘液の１つ以上で満たされる。一部の実施形態において、本体は、布製である。別の実施形態において、本体は、装飾模様、図形、及び装飾アクセサリの１つ以上を備える。一部の実施形態において、髪留めは、押し出し成形工程及び射出成形工程の１つ以上によって製造される。
【０００６】
第２の態様において、伸縮自在な本体を有する髪留めは、内縁、外縁、中央孔を備え、レスト位置における内縁と外縁との間の距離は、中央孔の直径よりも大きく、髪留めが伸長位置にある時、内縁と外縁との間の距離が縮まる。一部の実施形態において、伸縮自在な本体は、中実である。一部の実施形態において、伸縮自在な本体は、中空であり、ゲル物質、粒状固体、及び強粘液の１つ以上で満たされる。別の実施形態において、本体は、布表面を備える。一部の実施形態において、本体は、装飾模様、図形、及び装飾アクセサリの１つ以上を備える。一部の実施形態において、レスト位置における本体の幅は、約１／４インチであり、中央孔の直径は、約１／８インチである。別の実施形態において、本体は、アロエ、鉱油、及びコンディショナ物質の１つ以上を充填される。また別の実施形態において、球体、立方体、及び管状形状の１つ以上を備える。一部の実施形態において、本体は、芳香剤を充填される。別の実施形態において、本体は、苦味剤を充填される。一部の実施形態において、髪留めは、押し出し成形工程及び射出成形工程の１つ以上によって製造される。一部の実施形態において、本体は、ハート、昆虫、動物、花、及び他の装飾形状の１つ以上を備える。別の実施形態において、本体は、複数の図柄を備える。
【０００７】
別の態様において、髪留めは、伸縮自在な本体及び中央孔を備え、髪留めがレスト位置にある時、本体と中央孔の外縁との間の距離は、第１中央孔の直径よりも大きく、髪留めが伸長位置にある時、本体と中央孔の外縁との間の距離は、第２中央孔の直径よりも小さい。一部の実施形態において、伸縮自在な本体は、中実である。一部の実施形態において、伸縮自在な本体は、中空であり、ゲル物質、粒状固体、及び強粘液の１つ以上で満たされる。別の実施形態において、本体は、布表面を備える。一部の実施形態において、本体は、装飾模様、図形、及び装飾アクセサリの１つ以上を備える。一部の実施形態において、レスト位置における髪留めの幅は、約１／４インチであり、中央孔の直径は、約１／８インチである。別の実施形態において、本体は、アロエ、鉱油、及びコンディショナ物質の１つ以上を充填される。また別の実施形態において、本体は、球体、立方体、及び管状形状の１つ以上を備える。一部の実施形態において、本体は、芳香剤を充填される。別の実施形態において、本体は、苦味剤を充填される。一部の実施形態において、髪留めは、押し出し成形工程及び射出成形工程の１つ以上によって製造される。一部の実施形態において、本体は、ハート、昆虫、動物、花、及び他の装飾形状の１つ以上を備える。別の実施形態において、本体は、複数の図柄を備える。
【０００８】
別の態様において、本体及び中央孔を有する髪留めを利用する方法は、髪留めを、第１中央孔の直径、及び外縁と中央孔との間の第１距離を有する第１レスト位置から、第２中央孔の直径、及び外縁と中央孔との間の第２距離を有する伸長位置まで動かすことと、髪の一部を中央孔に配置することと、髪の一部を確実に保持するため、伸長位置から第２レスト位置まで髪留めを解放することとを含み、髪留めが第２レスト位置にある時、中央孔の直径は、第１中央孔の直径よりも大きく、外縁と中央孔との間の距離は、外縁と中央孔との間の第１距離よりも大きい。
【図面の簡単な説明】
【０００９】
【図１】一部の実施形態に係るレスト位置にある伸縮自在な髪留めを説明する図である。
【図２】一部の実施形態に係る伸長位置にある伸縮自在な髪留めを説明する図である。
【図３】一部の実施形態に係る髪の一部を確実に保持するために利用されている髪留めを説明する図である。
【図４】一部の実施形態に係る髪留めを利用する方法を説明する図である。
【図５Ａ】一部の実施形態に係るレスト位置にある伸縮自在な髪留めを説明する図である。
【図５Ｂ】一部の実施形態に係るレスト位置にある伸縮自在な髪留めを説明する図である。
【図５Ｃ】一部の実施形態に係るレスト位置にある伸縮自在な髪留めを説明する図である。
【図５Ｄ】一部の実施形態に係るレスト位置にある伸縮自在な髪留めを説明する図である。
【図５Ｅ】一部の実施形態に係るレスト位置にある伸縮自在な髪留めを説明する図である。
【図５Ｆ】一部の実施形態に係るレスト位置にある伸縮自在な髪留めを説明する図である。
【発明を実施するための形態】
【００１０】
まず、図１を参照すると、レスト位置にある髪留めの第１実施形態が図１に図示される。髪留め１００は、内縁１０３と、外縁１０５と、内縁１０３と外縁１０５間にある伸縮自在な表面１０７とを備える伸縮自在な本体１０１、及び直径１１１を有する中央孔１０９を備える。図１に示されるように、髪留めがレスト位置にある時、中央孔の直径１１１は、内縁１０３と外縁１０５との間の距離１１３よりも小さい。一部の実施形態において、髪留め１００は、伸長位置（図２）まで動くことが可能であり、中央孔の直径１１１は、内縁と外縁との間の距離１１３よりも大きい。
【００１１】
一部の実施形態において、髪留めの本体１０１は、中実である。一部の実施形態において、本体１０１は、中空である。それら実施形態のうちのいくつかにおいて、本体は、ゲル物質、粒状固体、及び強粘液の１つ以上で満たされる。一部の実施形態において、本体１０１は、布表面を備える。別の実施形態において、本体１０１は、装飾模様、図形、及び装飾アクセサリの１つ以上をさらに備える。一部の実施形態において、レスト位置にある時、本体は、約１／４インチの幅を備え、中央孔は、約１／８インチの直径を備える。あるいは、髪留め１００がレスト位置にある時、本体１０１は、当業界で公知の幅を備えることが可能であり、中央孔１０９は、当業界で公知の直径を備えることが可能である。一部の実施形態において、本体は、アロエ、鉱油、及びコンディショナ物質の１つ以上を充填される。特に、本体１０１は、当業界で公知のヘア製品を充填されることが可能である。一部の実施形態において、本体１０１は、芳香剤を充填される。一部の実施形態において、本体１０１は、小さい子供を引きつけ、飴と間違えられることがないよう、苦味剤を充填される。当業者にとって明らかであるように、本体は、ヘア製品、芳香剤、及び苦味剤の１つ以上を充填することが可能である。一部の実施形態において、本体１０１は、１つまたは複数の球体、立方体、管状形状を備える。一部の実施形態において、髪留め１００は、押し出し成形工程及び射出成形工程の１つ以上によって製造される。あるいは、髪留め１００は、当業界で公知の方法によって製造される。
【００１２】
図２は、一部の実施形態に係る伸長位置にある伸縮自在な髪留めを説明する。髪留め２００は、内縁２０３と、外縁２０５と、内縁２０３と外縁２０５との間にある伸縮自在な表面２０７を備える伸縮自在な本体２０１、及び直径２１１を有する中央孔２０９を備える。図２に示すように、髪留め２００が伸長位置にある時、中央孔の直径２１１は、内縁２０３と外縁２０５との間の距離２１３よりも大きい。一部の実施形態において、髪留め２００が伸長位置にある時、中央孔の直径２１１は、内縁と外縁との間の距離２１３よりも小さい。一部の実施形態において、髪留め２００が伸長位置にある時、中央孔の直径２１１は、内縁２０３と外縁との間の距離２１３と等しい。特に、髪留め２００が、レスト位置から伸長位置に動くと、内縁２０３と外縁２０５との間の距離２１３が縮まり、中央孔の直径２１１が広がる。当業者にとって明らかであるように、髪留めは、第１中央孔の直径を有するレスト位置から、第２中央孔の直径を有する伸長位置、及び中間の中央孔の直径を有する中間位置まで動くことが可能である。
【００１３】
図３は、一部の実施形態に係る髪の一部を確実に保持するために利用される髪留めを説明する。図３に示すように、使用者は、髪の一部３１５を所望の構成で保持するため、髪留め３０１を利用することが可能である。髪留め３０１は、伸長位置まで動き、様々な異なる方式及び構成で髪を保持するために利用され得る。
【００１４】
図４は、一部の実施形態に係る髪留めを利用する方法を説明する。ステップ４０３に示すように、使用者は、髪留めを第１レスト位置から伸長位置まで動かすことが可能である。第１レスト位置において、髪留めは、第１中央孔の直径、及び外縁と中央孔との間の第１距離を備え、伸長位置において、髪留めは、第２中央孔の直径、及び外縁と中央孔との間の第２距離を備える。ステップ４０５において、髪の一部は、中央孔内に配置される。当業者にとって明らかであるように、別の部分の髪が、使用者の所望の構成次第で、中央孔内に配置されることが可能である。ステップ４０７において、髪留めは、髪の一部を確実に保持するため、伸長位置から、第２のレスト位置まで解放される。髪留めが第２レスト位置にある時、中央孔の直径は、第１中央孔の直径よりも大きく、外縁と中央孔との間の距離は、外縁と中央孔との間の第１距離よりも大きい。当業者にとって明らかであるように、第２レスト位置における正確な中央孔の直径は、中央孔内に保持される髪の一部に依存する。
【００１５】
図５Ａ〜５Ｆは、別の実施形態に係る上述の伸縮自在な髪留め５００を説明する。図５Ａに示すように、髪留め５００の伸縮自在な本体５０１は、実質的に円形の形状を備える。一部の実施形態において、図５Ｂ〜５Ｅに示すように、髪留め５００の本体５０１は、ハート、昆虫、及び花の１つ以上を備えることが可能である。あるいは、本体５０１は、この分野において既知であるような、他のいずれかの装飾形状を備えることが可能である。例えば、一部の実施形態において、本体５０１は、動物の形状を備えることが可能である。図５Ｆは、本体５０１の断面に図柄を有する本体５０１を説明する。特に、本体５０１は、当業者にとって明らかであるように、中間に複数の図柄を備えることが可能である。あるいは、上述のように、本体５０１は、装飾アクセサリをさらに備えることが可能である。
【００１６】
操作時に、使用者は、本体の中央孔内に髪の一部を配置するために、髪留めをレスト位置から伸長位置まで動かすことが可能である。その後、使用者は、所望の構成に髪を確実に保持するため、髪留めを伸長位置から第２レスト位置まで解放する。そのようにすることにより、髪留めは、決まった場所に髪を保持すること、及び装飾することを目的とする安価で容易な方法を提供するという利点を有する。加えて、使用者は、髪留めを伸長位置まで移動し、髪留めの本体を巻きつけるまたは二重にすることなく、髪の一部を固定することが可能である。従って、従来技術と比べ、使用者は、髪留めの中央孔を素早く伸縮させ、孔内に髪の一部を配置し、髪の一部が中央孔内に確実に保持されるまで、伸長位置から髪留めを解放することが可能である。このように、本明細書に記載の髪留めは、多数の利点を有する。
【００１７】
本請求の発明は、構造の原理及び本発明の操作の理解を容易にする詳細を組み込む、特定の実施形態の用語で記載されている。特定の実施形態及びその詳細を本明細書においてそのように参照することは、本明細書に添付の特許請求の範囲の範囲に限定することを意図していない。本発明の趣旨及び範囲から逸脱することなく、変形形態の領域を図解のために選択された実施形態で作製できることは当業者にとって明らかであろう。特に、髪留めを、様々な大きさで製造することができることは明らかであろう。さらに、当業者にとって、ヘアアクセサリを、本発明と矛盾なく、様々な物質から、様々な構造で構築することできることは明らかであろう。従って、本発明の部品は、複数の異なる方法で、実装することができ、複数の異なる外見を有し得る。
【図１】
2013524941.tif 000003
【図２】
2013524941.tif 000004
【図３】
2013524941.tif 000005
【図４】
2013524941.tif 000006
【図５Ａ】
2013524941.tif 000007
【図５Ｂ】
2013524941.tif 000008
【図５Ｃ】
2013524941.tif 000009
【図５Ｄ】
2013524941.tif 000010
【図５Ｅ】
2013524941.tif 000011
【図５Ｆ】
2013524941.tif 000012
【国際調査報告】
2013524941.tif 000013